(57)【要約】【課題】衝撃緩和構造を有する有機電子発光表示装置を提供する。【解決手段】外部の衝撃から有機電子発光表示装置に装着された駆動電子部品の破壊を防止し、有機膜の損傷を防止するためのものであって、透明な基板１１上に形成された所定パターンの第１電極１３と第２電極１４及びその間で発光して画像を形成する有機膜１５を有し、前記第１電極、第２電極及び有機膜が密封された有機電子発光表示素子１０と、前記有機電子発光表示素子の発光面とは反対側に前記第１電極及び第２電極と電気的に連結するように装着され、その表面に少なくとも１つ以上の駆動電子部品２２が搭載されたフレキシブル印刷回路板２０と、前記フレキシブル印刷回路板と電気的に連結した印刷回路基板３０と、前記フレキシブル印刷回路板と印刷回路基板との間に配置されて外部の衝撃を緩和させる衝撃吸収部材５０とを含んでなる。【選択図】　図２
2004078107.tif 000002
【特許請求の範囲】
【請求項１】
透明な基板上に形成された所定パターンの第１電極と第２電極及びその間で発光して画像を形成する有機膜を有し、前記第１電極、第２電極及び有機膜が密封された有機電子発光表示素子と、
前記有機電子発光表示素子の発光面とは反対側に前記第１電極及び第２電極と電気的に連結するように装着され、その表面に少なくとも１つ以上の駆動電子部品が搭載されたフレキシブル印刷回路板と、
前記フレキシブル印刷回路板と電気的に連結した印刷回路基板と、
前記フレキシブル印刷回路板と印刷回路基板との間に配置されて外部の衝撃を緩和させる衝撃吸収部材とを含んでなることを特徴とする有機電子発光表示装置。
【請求項２】
前記衝撃吸収部材は、前記フレキシブル印刷回路板の前記印刷回路基板側の周辺部に沿って少なくとも一辺に配置されることを特徴とする請求項１に記載の有機電子発光表示装置。
【請求項３】
前記衝撃吸収部材は、前記フレキシブル印刷回路板の前記印刷回路基板側の角部のうち少なくとも１つに配置されることを特徴とする請求項１に記載の有機電子発光表示装置。
【請求項４】
前記印刷回路基板と前記有機電子発光素子及びフレキシブル印刷回路板とを繋いで支持するように形成されたフレームがさらに備えられ、前記衝撃吸収部材は、前記フレームの一端に結合される印刷回路基板と当接しないように形成されることを特徴とする請求項１乃至３のうち何れか１項に記載の有機電子発光表示装置。
【請求項５】
前記衝撃吸収部材は弾性樹脂材質であることを特徴とする請求項１乃至３のうち何れか１項に記載の有機電子発光表示装置。
【発明の詳細な説明】
【０００１】
【発明の属する技術分野】
本発明は有機電子発光表示装置に係り、特に外部の衝撃から表示装置内部に搭載された駆動チップを保護し、有機膜の損傷を防止するための有機電子発光表示装置の衝撃緩和構造に関する。
【０００２】
【従来の技術】
有機電子発光表示装置は、自発発光型表示装置として視野角が広くてコントラストに優れ、応答速度が早く、かつ優秀なカラーディスプレーができるために、最近、携帯用表示装置として注目を浴びている。
【０００３】
このような有機電子発光表示装置は、ガラスなどの透明基板の一面に所定パターンで電極が形成され、この陽極と陰極との間に有機膜を形成させて陽極及び陰極から供給された正孔（ｈｏｌｅ）及び電子が供給されるようにする。この有機膜で正孔と電子とが再結合して励起子（ｅｘｉｔｏｎ）を生成させ、この励起子が励起状態から基底状態に変化されることによって、有機膜のうち発光層の蛍光性分子が発光することによって画像が形成されるようにすることである。
【０００４】
このように有機電子発光表示装置において有機膜は発光に必要な必須構成要素であって、この有機膜に水分が浸透したり、外部からの衝撃伝達を防止するために有機膜の外部に、内部に吸湿剤が塗布されたキャップで密封したり、エポキシ樹脂等で密封する。
【０００５】
図１は前述したような有機電子発光表示装置の構造を示す分解斜視図である。尚、本明細書においては、添付図面における上方を上部、下方を下部として説明をするが、上部／下部との表現により配置が限定されることはない。
【０００６】
図１において、有機電子発光表示装置は、画面を表示する有機電子発光表示素子１０と、外部回路と連結して前記有機発光表示素子１０に電源及び信号を印加して前記有機電子発光表示素子を駆動するためのフレキシブル印刷回路板２０と、多数の電子部品３２及び回路が形成されている印刷回路基板３０と、有機電子発光表示素子１０の発光面方向に装着されるフレーム４０で構成される。
【０００７】
前記有機電子発光表示素子１０は、ガラスのような透明素材の基板１１の上部に所定パターンで陽極層１３が形成され、その上部に有機化合物よりなる有機薄膜のホール輸送層、発光層、電子輸送層（図示せず）が順次に形成された後、この有機薄膜上に陽極層と直交するように所定パターンの陰極層１４が形成された構造を有し、その外部は有機膜を保護するためにキャップ１２で密封される。また、フレキシブル印刷回路板２０は柔軟性素材よりなっており、前記キャップ１２の上部から有機電子発光素子を覆う方式で装着され、その内面には多数の駆動電子部品２２が搭載されている。
【０００８】
このように形成された有機電子発光表示素子１０とフレキシブル印刷回路板２０は１つのモジュールを形成しつつフレーム４０に締結され、そのフレーム４０の上部に印刷回路基板３０が締結されて表示装置としての機能を行うことになる。
【０００９】
【発明が解決しようとする課題】
このような構造の有機電子発光表示装置が携帯用電話機や携帯用コンピュータなど携帯用電子機器に搭載されて使われる場合、誤って落としたり、外部から弱い衝撃を加える場合に印刷回路基板３０が押されることがあり、これによってフレキシブル印刷回路板２０の内部に搭載された駆動電子部品２２が損傷される恐れがある。
【００１０】
また、前述したように、一般的にフレキシブル印刷回路板２０は柔軟性素材よりなるために、その内側面に搭載される駆動電子部品２２が有機電子発光表示素子１０のキャップ１２を押圧してその内部の有機膜を損傷させる恐れがある。
【００１１】
本発明は、前記問題を解決するために案出されたものであって、外部の衝撃から有機電子発光表示装置に搭載された駆動電子部品の破壊を防止しうる衝撃緩和構造を提供することをその目的とする。
【００１２】
本発明の他の目的は、外部の衝撃による有機電子発光表示装置の有機膜への損傷を防止しうる衝撃緩和構造を提供することである。
【００１３】
【課題を解決するための手段】
前記目的を達成するために本発明は、透明な基板上に形成された所定パターンの第１電極と第２電極及びその間で発光して画像を形成する有機膜を有し、前記第１電極、第２電極及び有機膜が密封された有機電子発光表示素子と、前記有機電子発光表示素子の発光面とは反対側に前記第１電極及び第２電極と電気的に連結するように装着され、その表面に少なくとも１つ以上の駆動電子部品が搭載されたフレキシブル印刷回路板と、前記フレキシブル印刷回路板と電気的に連結した印刷回路基板と、前記フレキシブル印刷回路板と印刷回路基板との間に配置されて外部の衝撃を緩和させる衝撃吸収部材とを含んでなることを特徴とする有機電子発光表示装置を提供する。
【００１４】
本発明の他の特徴によれば、前記衝撃吸収部材は前記フレキシブル印刷回路板の前記印刷回路基板側の周辺部に沿って少なくとも一辺に配置でき、または前記フレキシブル印刷回路板の前記印刷回路基板側の角部のうち少なくとも１つに配置できる。
【００１５】
本発明のさらに他の特徴によれば、前記印刷回路基板と前記有機電子発光素子及びフレキシブル印刷回路板とを繋いで支持するように形成されたフレームがさらに備えられ、前記衝撃吸収部材は前記フレームの一端に結合される印刷回路基板と当接しないように形成される。
【００１６】
そして、前記のような衝撃吸収部材は弾性樹脂材質のもので作られる。
【００１７】
【発明の実施の形態】
以下、添付された図面に基づいて本発明の望ましい実施形態について、より詳細に説明する。後述する本発明のあらゆる実施形態において、前記図１の従来の技術による有機電子発光表示装置と同一な構成については同一な図面番号を使用する。
【００１８】
図２は本発明の衝撃緩和構造を有する有機電子発光表示装置の断面を示すものである。
【００１９】
図２からわかるように、本発明の有機電子発光表示装置は透明な素材よりなる基板１１の上面に形成されて画像を具現する有機電子発光素子１０と、その上部に装着されて前記有機電子発光素子１０に電源及び信号を印加して駆動させるフレキシブル印刷回路板２０、及びこのフレキシブル印刷回路板２０と電気的に連結した印刷回路基板３０を具備する。
【００２０】
前記有機電子発光素子１０は、図面上で詳細に示さなかったが、透明な基板１１の上面に所定のパターンを有する第１電極１３と第２電極１４とが直交するように積層され、その間で少なくとも多重層の有機膜１５が配置されて前記第１電極１３と第２電極１４とから正孔と電子とを受けて発光して画像を具現するようにする構造を有する。そして、その外部に、前記有機膜１５を保護するために内部に吸湿剤１６などを含むキャップ１２を装着する。このようなキャップ１２は、外部からの水分浸透に対して前記有機膜１５を保護するためのものであって、実際に駆動領域（ａｃｔｉｖｅ　ａｒｅａ）を密封するが、このような密封のための構造としてエポキシなどの樹脂を塗布する構造など密封のための多様な構造が適用可能である。
【００２１】
一方、前述したような構造を有する有機電子発光素子１０は、密封したキャップ１２の外部で外部回路と連結されるように第１電極１３及び第２電極１４の電極端子が突出されている。図２には第２電極１４の電極端子が突出していることを示している。このように突出している電極端子に、示されたようにフレキシブル印刷回路板２０が装着されて相互電気的に連結される。このフレキシブル印刷回路板２０は前記有機電子発光素子１０に電流を供給し、信号を印加するものであって、内側面に駆動ＩＣのような駆動電子部品２２が少なくとも１つ以上搭載されている。この際、前記駆動電子部品２２は図２のようにフレキシブル印刷回路板２０の内側にも、またはその外側にも搭載されうる。
【００２２】
このようにフレキシブル印刷回路板２０と結合された有機電子発光素子１０は、これを表示素子として使用する装置にフレーム４０により固定される。フレーム４０は、前記有機電子発光素子１０とフレキシブル印刷回路板２０をその縁部で固定させ、装着される電子機器のケースに結合させる。
【００２３】
フレーム４０の上部には、前記フレキシブル印刷回路板２０と電気的に連結する印刷回路基板３０が置かれる。この印刷回路基板３０には、前記有機電子発光素子を画像表示素子として使用可能に多様な機能を付加し、信号を制御させる電子部品３２とこれによる回路が構成されている。
【００２４】
前述したような構成を有する有機電子発光表示装置において、フレキシブル印刷回路板２０と印刷回路基板３０との間には、本発明に係る衝撃吸収部材５０が設置される。この衝撃吸収部材５０はポリウレタンやゴム材などの弾性樹脂よりなり外部の衝撃を吸収可能に構成され、これにより印刷回路基板３０の外部からの衝撃がフレキシブル印刷回路板２０に伝達されないようにしうる。
【００２５】
フレキシブル印刷回路板２０は、前述したように柔軟性素材よりなって外部からの衝撃時、曲がるなど変形される恐れがある。したがって、もし、図２のような有機電子発光表示装置の印刷回路基板３０の上部から衝撃が加えられると、印刷回路基板３０が少しだけ押されても直ちにフレキシブル印刷回路板２０に伝達され、これはフレキシブル印刷回路板２０に搭載された駆動電子部品２２と有機電子発光素子１０のキャップ１２の上部を接触させることになる。このような接触は駆動電子部品２２を損傷させるだけでなくキャップ１２を押圧し、結果的にキャップ１２内の有機膜１５までも損傷されることになる。
【００２６】
したがって、図２のようにフレキシブル印刷回路板２０と印刷回路基板３０との間に衝撃を吸収しうる弾性樹脂などよりなる衝撃吸収部材５０を配置すると、前記印刷回路基板３０とフレキシブル印刷回路板２０とが当接して衝撃が伝えられることを未然に防止できる。
【００２７】
前記のような衝撃吸収部材５０は、図２からわかるように、フレキシブル印刷回路板２０の縁部に沿って設置されることが望ましい。これはその中心部分に各種の駆動電子部品２２が装着されており、有機電子発光素子１０の有効発光領域に該当し、むしろこの衝撃吸収部材５０によって前記駆動電子部品２２や有機膜１５などが損傷されるからである。
【００２８】
そして、この衝撃吸収部材５０の高さｈ１は、示されたように前記印刷回路基板３０の下面に当接しない程度の高さにすることが望ましい。つまり、前記有機電子発光素子１０及びフレキシブル印刷回路板２０がフレーム４０により支持され、このフレーム４０の上部に印刷回路基板３０が結合される時、前記衝撃吸収部材５０の高さｈ１が前記フレーム４０の前記フレキシブル印刷回路板２０の上部に延びた部分の高さｈ２よりは小さくすることである。これは前記衝撃吸収部材５０の装着によりフレーム４０と印刷回路基板３０の締結に支障を与えることがあるからである。
【００２９】
一方、このような衝撃吸収部材５０は多様に配置されうる。
【００３０】
即ち、図３のように直線状の衝撃吸収部材５０ａをフレキシブル印刷回路板２０の周辺部の両辺に平行に配置させても、図４のように四角形状の衝撃吸収部材５０ｂをフレキシブル印刷回路板２０の４つの角部に配置させても良い。
【００３１】
もちろん、図５のように、フレキシブル印刷回路板２０の周辺部を取囲むように配置させ、閉曲線をなす衝撃吸収部材５０ｃとして形成しても良い。
【００３２】
尚、本明細書では本発明を限定された実施形態を中心に説明したが、本発明の思想的範囲内で多様な実施形態が可能である。また説明されなかったが、均等な手段も本発明にそのまま結合されるものである。よって、本発明の真の保護範囲は特許請求の範囲によって決まるべきである。
【００３３】
【発明の効果】
前記のような構成を有する本発明によれば、外部の衝撃が有機電子発光表示装置の内部に浸透することを調節して内部電子部品が破損されることを防止しうる。
【００３４】
また、外部衝撃で内部電子部品が有機膜または電極を押圧して有機膜や電極が損傷されることを防止しうる。
【図面の簡単な説明】
【図１】一般の有機電子発光表示装置の分解斜視図である。
【図２】本発明の望ましい一実施形態による衝撃緩和構造を有する有機電子発光表示装置の断面図である。
【図３】本発明の衝撃緩和構造の望ましい実施形態を示す分解斜視図である。
【図４】本発明の衝撃緩和構造の望ましい実施形態を示す分解斜視図である。
【図５】本発明の衝撃緩和構造の望ましい実施形態を示す分解斜視図である。
【符号の説明】
１０　　有機電子発光表示素子
１１　　透明基板
１２　　キャップ
２０　　フレキシブル印刷回路板
２２　　駆動電子部品
３０　　印刷回路基板
４０　　フレーム
５０　　衝撃吸収部材
【図１】
2004078107.tif 000003
【図２】
2004078107.tif 000004
【図３】
2004078107.tif 000005
【図４】
2004078107.tif 000006
【図５】
2004078107.tif 000007